(57)【特許請求の範囲】
【請求項１】
撮像素子を用いて撮影画像を電気信号に変換し、デジタルの画像データとして記憶媒体に記憶するデジタルカメラにおいて、
画面上に触れた位置を検出するタッチパネル方式の表示部と、
この表示部の画面を仮想的に複数個のマスに分割し、これらのマスを所定の順番で擦ることによりマスの選択順序を示す筆順を異なる筆順主ごとに基準筆順として登録する筆順記憶部と、
前記記憶媒体に、使用者を特定しない一般用フォルダを作成するとともに、前記筆順記憶部に新たな基準筆順が登録されると同時に基準筆順に基づいて筆順主ごとの個人用フォルダを作成するフォルダ作成部と、
電源投入後に表示部の画面上のマスを擦って得られる新たな筆順が基準筆順と一致するか否かを判定することにより筆順主を特定する筆順主特定部と、
この筆順主特定部によって前記新たな筆順が基準筆順と一致すると判定された場合には、一致した基準筆順に対応する筆順主の個人用フォルダに以後に撮影される画像データを記憶し、前記新たな筆順が基準筆順と異なると判定された場合には、前記一般用フォルダに以後に撮影される画像データを記憶する制御部と
を設けたことを特徴とするデジタルカメラ。
【請求項２】
前記制御部は、前記個人用フォルダに画像データを記憶するフォルダアクセス状態からオートパワーオフ機構による電源オフまたは電源スイッチの操作による電源オフが行われた場合には、次に電源がオンにされた際にも引き続きフォルダアクセス状態とし、前記フォルダアクセス状態から、前記表示部の画面に表示された電源オフアイコンに触れること、前記表示部の画面に触れたまま前記電源スイッチを操作すること、前記電源スイッチ以外の操作ボタンを１個以上押しながら前記電源スイッチを操作すること、のうちいずれか１つによる電源オフが行われた場合には、次に電源がオンにされた際にフォルダアクセス状態を解除することを特徴とする請求項１記載のデジタルカメラ。
【発明の詳細な説明】
【技術分野】
【０００１】
本発明は、デジタルカメラに関し、更に詳しくは複数の人数で共同して使用するデジタルカメラに関するものである。
【背景技術】
【０００２】
ＣＣＤやＣＭＯＳイメージ・センサ等の撮像素子を用いて映像を電気信号に変換し、デジタルの画像データとしてメモリカードなどの記憶媒体に記憶するデジタルカメラが普及している。メモリカード１枚あたりの記憶容量は、技術の進歩により増加の一途をたどり、これまで１６ＭＢ〜６４ＭＢ程度であったものが、今や２５６ＭＢ〜１ＧＢも当たり前になってきており、記憶可能な画像データは膨大な量になっている。
【０００３】
このような大容量のメモリカードを使用すれば、メモリカードを交換することなく、１台のデジタルカメラを複数の人数（例えば家族やグループ）で共同して使用することも可能である。しかしながら、撮影した画像を他人に見られたくない場合もあり得る。これを解決するには、画像フォルダを使用者ごとに別々に設け、本人以外の人が画像フォルダにアクセスできないようにすればよい。この方法としては、各使用者が固有のパスワードを登録しておき、デジタルカメラを使用する際にパスワードを入力することが考えられる。      
【０００４】
ところが、デジタルカメラには、キーボードを設けるスペースがないため、文字の組み合わせによるパスワードを入力することができない。このキーボード入力に変わるパスワードとして、本人固有の筆跡を用いる情報処理装置が知られている（例えば特許文献１）。
【０００５】
この情報処理装置は、使用者が入力するサインの情報をタッチパネルが検出し、中央処理装置に与える。パスワード判定手段は、パスワード登録時には、タッチパネルより入力されたサインから筆跡の特徴を抽出し、その特徴をパスワード記憶手段に記憶させる。そして、パスワード判定時には、タッチパネルより入力されたサインから筆跡の特徴を抽出し、その特徴をパスワード記憶手段に記憶されている筆跡の特徴と比較し、判定結果を中央処理装置に返し、本人かどうかの判定を行う。
【特許文献１】特開平０６−１０３０５７号公報
【発明の開示】
【発明が解決しようとする課題】
【０００６】
大容量のメモリカードを有するデジタルカメラに上記特許文献１記載の情報処理装置を適用すれば、なんら問題なく複数の使用者が共同して使用できるようにも思われるが、予め使用者ごとに個人用フォルダを作成しておく必要があり面倒である。また、必ずしもプライバシーを守る必要がないような状況下でも、一々パスワードを入力しなければデジタルカメラを使用できないという不都合もある。
【０００７】
本発明は、複数の使用者が効率よく共同使用できるデジタルカメラを提供することを目的とする。
【課題を解決するための手段】
【０００９】
本発明のデジタルカメラは、撮像素子を用いて撮影画像を電気信号に変換し、デジタルの画像データとして記憶媒体に記憶するデジタルカメラにおいて、画面上に触れた位置を検出するタッチパネル方式の表示部と、この表示部の画面を仮想的に複数個のマスに分割し、これらのマスを所定の順番で擦ることによりマスの選択順序を示す筆順を異なる筆順主ごとに基準筆順として登録する筆順記憶部と、前記記憶媒体に、使用者を特定しない一般用フォルダを作成するとともに、前記筆順記憶部に新たな基準筆順が登録されると同時に基準筆順に基づいて筆順主ごとの個人用フォルダを作成するフォルダ作成部と、電源投入後に表示部の画面上のマスを擦って得られる新たな筆順が基準筆順と一致するか否かを判定することにより筆順主を特定する筆順主特定部と、この筆順主特定部によって前記新たな筆順が基準筆順と一致すると判定された場合には、一致した基準筆順に対応する筆順主の個人用フォルダに以後に撮影される画像データを記憶し、前記新たな筆順が基準筆順と異なると判定された場合には、前記一般用フォルダに以後に撮影される画像データを記憶する制御部とを設けたことを特徴とする。
【００１０】
また、前記制御部は、前記個人用フォルダに画像データを記憶するフォルダアクセス状態からオートパワーオフ機構による電源オフまたは電源スイッチの操作による電源オフが行われた場合には、次に電源がオンにされた際にも引き続きフォルダアクセス状態とし、前記フォルダアクセス状態から、前記表示部の画面に表示された電源オフアイコンに触れること、前記表示部の画面に触れたまま前記電源スイッチを操作すること、前記電源スイッチ以外の操作ボタンを１個以上押しながら前記電源スイッチを操作すること、のうちいずれか１つによる電源オフが行われた場合には、次に電源がオンにされた際にフォルダアクセス状態を解除することが好ましい。
【発明の効果】
【００１３】
本発明のデジタルカメラによれば、表示部の画面を仮想的に分割した複数個のマスを所定の順番で擦ることによりマスの選択順序を異なる筆順主ごとに基準筆順として登録し、新たな基準筆順が登録されると筆順主ごとの個人用フォルダを作成し、筆順の判定を行うことにより筆順主が特定される画像データを筆順主ごとの個人用フォルダに、また筆順主が特定されない画像データを一般用フォルダに記憶するので、面倒な手間をかけることなく、複数の使用者が効率よく共同使用できる。
【００１４】
また、個人用フォルダに画像データを記憶するフォルダアクセス状態からオートパワーオフ機構による電源オフまたは電源スイッチの操作による電源オフが行われた場合には、次に電源がオンにされた際に引き続きフォルダアクセス状態とするので、次の撮影でも同じ使用者が撮影を行う予定の場合には、筆順判定を行うことなく、電源をオンにしただけで個人用フォルダにアクセスでき、便利である。また、次の撮影で自分が使用する予定がない場合には、電源オフアイコンに触れたり、表示部の画面に触れたまま電源スイッチを操作したり、電源スイッチ以外の操作ボタンを１個以上押しながら電源スイッチを操作することにより、電源をオフにしておけば、自分の個人用フォルダ内を他の人に覗かれるおそれがなく安心である。
【発明を実施するための最良の形態】
【００１８】
本発明の第１実施形態であるデジタルカメラを示す図１において、デジタルカメラ１０のカメラボディ１１の前面には、撮影レンズ１２、ストロボ発光部１４、オートフォーカス（ＡＦ）補助光投光窓１５及び調光センサ１６が設けられている。また、カメラボディ１１の左手側面には、図示していないが、メモリカード４０（図３参照）を装着するためのカードスロットが設けられている。このメモリカード４０としては、例えば１ＧＢ程度の大容量のｘＤ−ピクチャーカード（商標）が用いられる。
【００１９】
また、カメラボディ１１の上面には、回転させることによりオートやマニュアル等の撮影モードを切り替えるリング状のモード切替ダイヤル１８，この中心部に設けられたシャッタボタン１９，及び電源スイッチ２０が配設されている。
【００２０】
図２に示すように、カメラボディ１１の背面には、液晶ディスプレイ（ＬＣＤ）２２，ズームボタン２４，多機能の十字ボタン２６，メニュー／実行ボタン２７，液晶表示／戻るボタン２８，再生モードボタン３１，フォトモードボタン３２が設けられている。
【００２１】
前記ＬＣＤ２２は、液晶ディスプレイとマトリクス・スイッチを組み合わせた周知のタッチパネル方式で、スタイラスペン（図６参照）や指が触れた位置を検知して画面２２ａ上の位置を指定し、ＣＰＵに指示を与える。これは、詳しくは後述するように、使用者の筆跡判定に使用される。また、前記ＬＣＤ２２は、撮影時に電子ファインダとして使用されるとともに、撮影した画像のプレビュー画やメモリカード７５から読み出した再生画像等が長方形をした画面２２ａ上に表示される。また、十字ボタン２６を使用したメニューの選択や各メニューにおける各種項目の設定などもＬＣＤ２２の画面２２ａを用いて行われる。
【００２２】
前記ズームボタン２４は、右端部２４ａを押圧することで望遠（TELE）方向にズーミングを行い、左端部２４ｂを押圧することで広角（WIDE）方向にズーミングを行う。十字ボタン２６は、上下左右のいずれかの縁部を押圧することによって、対応する４方向（上、下、左、右）の指示を入力でき、メニュー画面における各種設定項目の選択や設定内容の変更を指示する操作ボタンとして使用されるとともに、電子ズームの倍率調整や再生コマの送り／戻しを指示する手段として用いられる。
【００２３】
メニュー／実行ボタン２７は、各モードの通常画面からメニュー画面へ遷移させる時に使用されるとともに、選択内容の確定、処理の実行（確認）指示の時などに使用される。液晶表示／戻るボタン２８は、撮影モードや再生モードで一定時間が経過すると省エネのためにＬＣＤ２２のバックライトが消灯されるが、この消灯状態に押圧すると、ＬＣＤ２２のバックライトが点灯される。また、液晶表示／戻るボタン２８は、メニューから選んだ項目の取消（キャンセル）や一つ前の操作状態に戻る時などに使用される。
【００２４】
再生モードボタン３１は、これを押圧操作すると、撮影された画像をＬＣＤ２２に再生表示する。フォトモードボタン３２は、標準色調の「Ｆ−スタンダード」，風景や花の撮影に最適な色彩を実現する「Ｆ−クローム」，シックな黒白にする「Ｆ−Ｂ＆Ｗ」の設定や、記録画素数，感度，プリント予約の各設定を行う際に使用される。
【００２５】
デジタルカメラ１０の電気的構成を示す図３において、撮影部３４は、撮影レンズ１２，ＣＣＤ，Ａ／Ｄコンバータ等からなる。撮影部３４から出力される画像データは、ｊｐｅｇ等の圧縮方式で圧縮されており、バッファメモリ３５に記憶される。ＣＰＵ３６は、データバス３７を介して接続された装置各部を制御する。
【００２６】
ＣＰＵ３６は、メディアコントローラ３８を制御してメモリカード４０にアクセスし、例えばメモリカード４０が新規である場合には、図４に示すように、使用者が共通で使用できる一般用フォルダ４１を作成したり、詳しくは後述するように、使用者ごとに個人用フォルダの作成を行ったり、画像データをバッファメモリ３５から読み出してメモリカード４０の各フォルダに格納したり、また画像データを読み出したりする。
【００２７】
操作部４２には、モード切替ダイヤル１８，シャッタボタン１９，電源スイッチ２０，ズームボタン２４，多機能の十字ボタン２６などが含まれる。ＲＯＭ４３には、フォルダ作成プログラムや基準筆跡パターン登録プログラムや筆跡判定用プログラム等の各種プログラム等が記録されており、ＣＰＵ３６は、これらのプログラムをＲＡＭ４４にロードし、プログラムに記述された各種ステップを実行する。
【００２８】
また、フラッシュメモリ４５は、データの消去・書き込みを自由に行なうことができ、電源を切っても内容が消えない半導体メモリであり、後述する個人用フォルダの選択情報などを記憶する。ＶＲＡＭ４６は、ＬＣＤ２２に各種画面や画像を出力するための画像出力手段である。また、時計部４７は、オートパワーオフ機能の計時などで使用される。
【００２９】
デジタルカメラ１０は、前記一般用フォルダ４１の他に、メモリカード４０に個人用フォルダを作成し、グループや家族などの複数の使用者で使用できるようにしている。前記個人用フォルダを使用するには、個人のプライバシーを守るため、筆跡による個人認証を行う。以下、この個人認証について説明する。
【００３０】
個人認証を行うには、予め筆跡を判定する際に基準となる基準筆跡パターンを作成してフラッシュメモリ４５に登録しておく必要がある。このため、基準筆跡パターンが未登録でかつ個人用フォルダを使用しようとする場合、ＣＰＵ３６は、ＲＯＭ４３から基準筆跡パターン登録プログラムをＲＡＭ４４にロードして起動し、図５に示すように、ＬＣＤ２２に「筆跡の登録をして下さい」というメッセージ５０を表示して使用者ごとの筆跡登録を促す。ここで、メニュー／実行ボタン２７を押すと、図６に示すように、ＬＣＤ２２にサイン入力画面５１が表示され、「ペン色を選択してから、スタイラスペンでサインをして下さい」というメッセージ５２を表示して使用者のサインを促す。
【００３１】
サイン入力画面５１の左上部には、スタイラスペン５４による描画色（ペン色）を赤色，青色，黄色にそれぞれ設定する赤色アイコン５６，青色アイコン５７，黄色アイコン５８が表示される。使用者である家族は、例えば夫の甲夫，妻の乙子，長男の丙男，長女の丁子の４人とする。甲夫が筆跡を登録する場合には、まずスタイラスペン５４のペン先５４ａを例えば青色アイコン５７にタッチしてから、サイン入力画面５１の中央部に自分の名前をローマ字で書く。サイン入力画面５１上に青色で「Ｋｏｕｏ」というサイン６０が描かれ始めると同時に、ＬＣＤ２２のタッチパネル機能により、ＬＣＤ２２から筆跡パターンの座標データが時系列的に所定時間間隔でサンプリングされ、ＣＰＵ３６に入力される。
【００３２】
甲夫がサイン６０を描き終えてから、メニュー／実行ボタン２７を押すと、図７に示すように、ＣＰＵ３６は、メモリカード４０に甲夫専用の個人用フォルダであるＫｏｕｏフォルダ６２を作成するとともに、取り込んだ時系列座標データに基づいて、基準筆跡パターンを作成し、選択したペン色情報と一緒にフラッシュメモリ４５に記憶する。なお、この基準筆跡パターンの作成時には、複数回のサイン入力を行って複数の基準筆跡パターン間のばらつきを検査し、このばらつきが許容範囲内に入る筆跡を基準筆跡パターンとしてフラッシュメモリ４５に記憶することが好ましい。
【００３３】
甲夫と同様に、乙子，丙男，丁子がサイン入力画面５１上にサインして個人登録を行うと、Ｏｔｕｋｏフォルダ６３，Ｈｅｉｏフォルダ６４，Ｔｙｏｕｋｏフォルダ６５がそれぞれメモリカード４０に作成されるとともに、乙子，丙男，丁子がそれぞれ選択したペン色情報と作成された各自の基準筆跡パターンがフラッシュメモリ４５に記憶される。
【００３４】
フォルダ６２〜６５を使用しようとする際には、サイン入力画面５１で新たに選択されたペン色がフラッシュメモリ４５に登録されたペン色情報と一致し、かつ新たに入力された被検査用の筆跡パターンが登録済みの基準筆跡パターンと一致するか否かによって、個人認証が行われる。この個人認証により、個人用フォルダの使用が許可されると、フラッシュメモリ４５に個人用フォルダの選択情報が記録される。
【００３５】
また、デジタルカメラ１０は、全ての操作を止めてから時計部４７が計時を開始し、所定時間が経過すると自動的に電源がオフにされるオートパワーオフ機構を備えているが、個人用のフォルダ６２〜６５を使用中に、前記オートパワーオフ機構による電源オフまたは電源スイッチ２０の操作による通常の電源オフが行われた場合には、フラッシュメモリ４５に記憶された個人用フォルダの選択情報はそのまま維持され、再び電源スイッチ２０を操作して電源をオンにすると、個人認証無しで、そのまま前に使っていた個人用フォルダに画像データが記憶される。
【００３６】
また、図８に示すように、ＬＣＤ２２の画面に表示された電源オフアイコン６８をスタイラスペン５４か指でタッチするという特殊な操作でデジタルカメラ１０の電源をオフにした場合には、フラッシュメモリ４５に記憶されていた個人用フォルダの選択情報は破棄される。このため、再び電源をオンにした際に個人用のフォルダ６２〜６５を使用するには、個人認証が行われる。
【００３７】
このように構成された第１実施形態の作用について図９に示すフローチャートを参照して説明する。家族のうちの甲夫がデジタルカメラ１０の使用を開始する。甲夫は、モード切替ダイヤル１８を撮影モードにセットした状態で電源スイッチ２０を押圧操作し、デジタルカメラ１０の電源をオンにする（ｓｔ１）。まず、ＣＰＵ３６は、個人用フォルダの選択情報がフラッシュメモリ４５に維持（記憶）されているか否かを調べる（ｓｔ２）。
【００３８】
個人用フォルダの選択情報が維持されている場合には、図１０に示すように、ＬＣＤ２２の画面に、例えば「前回はＫｏｕｏフォルダが使用されていました。そのまま継続使用しますか？」というメッセージ７０が表示される（ｓｔ３）。甲夫は、自分の個人用フォルダであるＫｏｕｏフォルダ６２に間違いないことを確認して画面でメニュー／実行ボタン２７を押すと、以後に撮影される画像データがＫｏｕｏフォルダ６２に記録されるように設定され（ｓｔ４）、そのまますぐに撮影に取りかかることができる。なお、甲夫は、ＬＣＤ２２の画面に、自分以外の個人用フォルダが表示された場合には、液晶表示／戻るボタン２８を押す。これにより、フラッシュメモリ４５に記憶されている個人用フォルダの選択情報が消去される。
【００３９】
個人用フォルダの選択情報が維持されていない場合には、図１１に示すように、ＬＣＤ２２の画面に「個人用フォルダを使用しますか？」というメッセージ７２が表示される（ｓｔ５）。個人用フォルダを使用しない場合には、液晶表示／戻るボタン２８を押し、撮影した画像データを一般用フォルダ４８に記録する設定がなされる（ｓｔ６）。
【００４０】
甲夫が図１１に示す画面でメニュー／実行ボタン２７を押すと、ＬＣＤ２２の画面に、図６に示すように、サイン入力画面５１が表示される。ＣＰＵ３６は、ＲＯＭ４３から筆跡判定用プログラムをＲＡＭ４４にロードして起動し、スタンバイ状態になる。甲夫は、スタイラスペン５４を把持し、登録したものと同じペン色（青色）を選ぶため、青色アイコン５７にペン先５４ａを触れてから（ｓｔ７）、ＬＣＤ２２の画面中央部にローマ字で「Ｋｏｕｏ」とサインする（ｓｔ８）。
【００４１】
スタイラスペン５４が触れた画面上の座標データが時系列的に所定時間間隔でサンプリングされ、ＣＰＵ３６に入力される。甲夫がサインを描き終えてから、メニュー／実行ボタン２７を押すと、ＣＰＵ３６は、取り込んだ時系列座標データに基づいて筆跡パターンを作成し、フラッシュメモリ４５に登録されている基準筆跡パターンと比較照合する。甲夫が書いた筆跡パターンと一致する基準筆跡パターンがフラッシュメモリ４５に登録されている場合には、ＣＰＵ３６は、その基準筆跡パターンに付随するペン色情報と甲夫がサイン時に選択したペン色とが一致しているか否かを照合する。
【００４２】
前記筆跡パターンが基準筆跡パターンと一致し、かつペン色が登録済みのペン色と一致した、すなわち個人認証が成立した場合には（ｓｔ９）、ＣＰＵ３６は、図１２に示すように、ＬＣＤ２２の画面に「以後の撮影画像データは、Ｋｏｕｏフォルダに記録されます。」というメッセージ７４を表示し、以後に撮影される画像データがＫｏｕｏフォルダ６２に記録されるように設定する（ｓｔ４）。
【００４３】
また、筆跡パターンが不一致、又は筆跡パターンが一致しているがペン色が不一致の場合には、ＣＰＵ３６は、図１３に示すように、ＬＣＤ２２の画面に「個人認証ができません。」という警告文７５を表示し（ｓｔ１０）、再度、個人用フォルダを使用するか否かからやり直しをさせる。
【００４４】
デジタルカメラ１０の操作を一切やめてから時計部４７が計時を開始し、所定の時間、例えば１分間が経過した際には（ｓｔ１１）、オートパワーオフ機構により電源が自動的にオフにされる。この場合及び、撮影を終了して電源スイッチ２０を押圧操作する通常の電源オフ操作を行った場合には（ｓｔ１２）、Ｋｏｕｏフォルダ６２に画像データが記録されるというフォルダ選択情報は維持されたまま（ｓｔ１３）、デジタルカメラの電源がオフされる（ｓｔ１４）。
【００４５】
また、次回の電源オンで甲夫が自分でデジタルカメラ１０を使用する予定がない場合には、デジタルカメラ１０の操作を一切やめてから１分間経過する以前に（オートパワーオフされる以前に）、図８に示すように、文字「ｏｆｆ」に○の電源オフアイコン６８をスタイラスペン５４か指でタッチする（ｓｔ１２）。この特殊な電源オフ操作によりフラッシュメモリ４５に記憶されていたフォルダ選択情報は消去され（ｓｔ１５）、この後、電源がオフになる（ｓｔ１４）。
【００４６】
なお、撮影モードにセットした場合について説明したが、再生モードでも個人用フォルダを使用する場合には、上述と同様の個人認証が必要となる。また、前記やり直しの回数は制限しなかったが、例えば３回までやり直しても個人認証ができない場合には、個人用フォルダの使用を拒否し、一般用フォルダの使用に強制的に設定するか、又はデジタルカメラの使用そのものを拒否することが好ましい。また、本実施形態では、撮影する度に画像データが各使用者ごとの個人用フォルダに収納されるため、画像データを分類整理する手間が不要になる。
【００４７】
上記第１実施形態では、ペン色と筆跡との組み合わせによって個人認証を行ったが、筆跡のみの判定による個人認証も可能である。また、ペン色の代わりに、背景画像を用いて、背景画像と筆跡との組み合わせによって個人認証を行うこともできる。この第２実施形態では、背景画像として、例えば背景写真を用いる。異なる４枚の背景写真Ａ〜Ｄの画像データを予めフラッシュメモリ４５に登録しておき、第１実施形態に記載した「個人用フォルダを使用しますか？」というメッセージ７２が表示された後に、図１４に示すように、背景写真Ａ〜Ｄが配列表示された背景選択の画面７８を表示する。
【００４８】
背景写真Ａ〜Ｄの中から好みのもの、例えば背景写真Ｂを選択すると、図１５に示すように、ＬＣＤ２２のサイン入力画面８０一杯に背景写真Ｂが表示されるから、この上にサイン６０を書く。前記背景写真Ａ〜Ｄとしては、使用者の好みの写真の他、使用者自身の顔写真などを用いることができる。また、写真ではなくイラスト等の絵や各種の壁紙などを用いることもできる。また、デジタルカメラ１０を５人以上が使用する場合には、複数ページに選択画像を表示し、十字ボタン２６を用いて、これらを切り替えるようにしてもよい。
【００４９】
また、背景画像とペン色と筆跡との組み合わせによって個人認証を行うこともできる。この第３実施形態では、図１６に示すように、ＬＣＤ２２のサイン入力画面８２一杯に背景写真Ｂが表示されるとともに、サイン入力画面８２の中央上方部に赤色アイコン５６，青色アイコン５７，黄色アイコン５８が表示され、その下方に「ペン色を選択してから、サインして下さい」のメッセージ５２が表示される。使用者は、第１実施形態と同様に、色アイコン５６〜５８の中から、登録してある色に対応するアイコンをタッチしてからサイン入力画面８２の中央部にサインをする。このように背景画像とペン色と筆跡の三者によって個人認証を行うと、より厳しくプライバシーを守ることができる。
【００５０】
次に、図１７において、第４実施形態は、サインの代わりに、ＬＣＤ２２の画面を分割した複数個のマスを一筆書きのようにしてなぞり、その選択順序で個人認証を行う。本実施形態では、９個のマスｍ１〜ｍ９の選択順序を使用者ごとに登録しておき、使用者は自分の登録した選択順序を再現することにより、本人であることを立証する。図１７に示す選択順序の例は、ｍ７→ｍ８→ｍ９→ｍ６→ｍ５→ｍ４→ｍ１→ｍ２→ｍ３である。また、マスの選択順序とサインとの組み合わせによって個人認証を行うようにしてもよい。
【００５１】
また、上記実施形態では、フォルダ選択情報を消去する特殊な電源オフ操作として、ＬＣＤ２２の画面に表示した電源オフアイコン６８をスタイラスペン５４か指でタッチする操作を挙げたが、図１８に示すように、ＬＣＤ２２の画面２２ａにスタイラスペン５４又は指を接触したまま電源スイッチ２０を押す操作でもよい。また、電源スイッチ２０以外の操作ボタンを１個以上押しながら、例えば液晶表示／戻るボタン２８を押しながら、電源スイッチ２０を押圧する操作でもよい。
【００５２】
また、上記実施形態では、フォルダ選択情報を維持したまま電源スイッチをオフにすれば、次回の個人認証を省略することができたが、本発明はこれに限定されることなく、例えば図１９のフローチャートに示すように、個人用フォルダの使用を開始（ログイン）してから予め設定された所定時間（例えば１時間）内は、電源のオン／オフを何度行っても同じ個人用フォルダへのアクセス（画像データの記憶や読み出し）を許可するようにしてもよい。なお、本実施形態ではペン色の選択を省略し、筆跡判定のみで個人認証を行っている。
【００５３】
また、図２０に示すように、前回の電源オフから時間を計時し、前回の電源オフから所定時間（例えば３０分）内は、個人認証を行うことなく、前回に使用していた個人用フォルダに画像データを記録するようにしてもよい。
【００５４】
以上説明した実施形態では、筆跡としてサインを用いたが、本発明はこれに限定されることなく、サインの代わりに簡易な記号やイラストでもよい。また、上記実施形態では、ペン色を赤色，青色，黄色の３色としたが、本発明はこれに限定されることなく、例えば赤色，青色，黒色，緑色の４色としてもよい。また、上記実施形態では、電源オフアイコンとして、文字「ｏｆｆ」を○で囲った絵柄を用いたが、本発明はこれに限定されることなく、例えば文字「電源オフ」を楕円形の囲み線で囲った絵柄でもよいし、電源オフをイメージするイラストなどでもよい。なお、メモリカードとしては、ｘＤ−ピクチャーカードを採用したが、例えばＰＣカードタイプのメモリカード等を使用してもよい。
【図面の簡単な説明】
【００５５】
【図１】本発明の第１実施形態であるデジタルカメラの外観を前側から示す斜視図である。
【図２】デジタルカメラの背面を示す平面図である。
【図３】デジタルカメラの電気的構成を示すブロック図である。
【図４】一般用フォルダを示す説明図である。
【図５】筆跡の登録を促すメッセージ例を示す説明図である。
【図６】サイン入力画面を示す説明図である。
【図７】個人用フォルダを示す説明図である。
【図８】画面上の電源オフアイコンを触れて電源をオフにする特殊な電源オフ操作を示す説明図である。
【図９】第１実施形態の主なシーケンスを示すフローチャートである。
【図１０】個人用フォルダの継続使用を問うメッセージを示す説明図である。
【図１１】個人用フォルダの使用を問うメッセージを示す説明図である。
【図１２】所定の個人用フォルダに画像データが記録される旨のメッセージを示す説明図である。
【図１３】個人認証ができない旨のメッセージを示す説明図である。
【図１４】第２実施形態の背景選択画面を示す説明図である。
【図１５】背景写真をバックにしたサイン入力画面を示す説明図である。
【図１６】第３実施形態のサイン入力画面を示す説明図である。
【図１７】第４実施形態のマス選択順序を入力する画面を示す説明図である。
【図１８】ＬＣＤの画面を触れたまま電源スイッチをオフにする特殊な電源オフ操作を示す説明図である。
【図１９】前回のログインから所定時間内は個人認証なしで個人用フォルダにログインするシーケンスを示すフローチャートである。
【図２０】前回の電源オフから所定時間内は個人認証なしで個人用フォルダにログインするシーケンスを示すフローチャートである。
【符号の説明】
【００５６】
１０  デジタルカメラ
２０  電源スイッチ
２２  ＬＣＤ
３４  撮影部
３６  ＣＰＵ
４０  メモリカード
４１  一般用フォルダ
４５  フラッシュメモリ
４７  時計部
５１，８０，８２  サイン入力画面
５４  スタイラスペン
５６〜５８  色アイコン
６０  サイン
６２〜６５  個人用のフォルダ
６８  電源オフアイコン
ｍ１〜ｍ９  マス
【図１】
0004406626.tif 000002
【図２】
0004406626.tif 000003
【図３】
0004406626.tif 000004
【図４】
0004406626.tif 000005
【図５】
0004406626.tif 000006
【図６】
0004406626.tif 000007
【図７】
0004406626.tif 000008
【図８】
0004406626.tif 000009
【図９】
0004406626.tif 000010
【図１０】
0004406626.tif 000011
【図１１】
0004406626.tif 000012
【図１２】
0004406626.tif 000013
【図１３】
0004406626.tif 000014
【図１４】
0004406626.tif 000015
【図１５】
0004406626.tif 000016
【図１６】
0004406626.tif 000017
【図１７】
0004406626.tif 000018
【図１８】
0004406626.tif 000019
【図１９】
0004406626.tif 000020
【図２０】
0004406626.tif 000021